(57)【特許請求の範囲】
【請求項１】
その上階部分と下階部分との境界に胴差しを有する外壁骨格体と、
該外壁骨格体の下階部分に、水平方向に並設された下階側壁板と、
前記外壁骨格体の上階部分に、水平方向に並設された上階側壁板と、
その上部及び下部が前記胴差しの上端面及び下端面から突出する状態で、前記胴差しに、水平方向に並設された胴差し側壁板と
を備え、
隣り合う前記下階側壁板が突き合わされる該下階側壁板の縁部と、隣り合う前記胴差し側壁板が突き合わされる該胴差し側壁板の縁部と、隣り合う前記上階側壁板が突き合わされる該上階側壁板の縁部とが、上下方向に一直線上に並ばないように構成されている部分を有することを特徴とする建物の側壁構造。
【発明の詳細な説明】
【０００１】
【発明の属する技術分野】
本発明は、建物の側壁構造に関する。
【０００２】
【従来の技術】
従来、この種の建物の側壁構造として以下の如きものは知られている。即ち、２階以上の建物に設けられた下階と上階との境の胴差しに、上下２枚の側壁板が胴差しの高さ方向の中間で突き合わされた状態で、固定され、また、左右に並ぶ側壁板の突き合わせ縁が高さ方向に一直線状につながったものは知られている。
【０００３】
【従来技術の欠点】
前記従来の建物の側壁構造には以下の如き欠点があった。即ち、上下２枚の側壁板が胴差しの高さ方向の中間で突き合わされた状態で胴差しに固定されていたため、即ち、胴差しに上下２枚の側壁板が別個に固定されたものであったため、側壁板と胴差しとの一体化を強固に行なうことが出来ないという欠点があった。
また、左右に並ぶ側壁板の突き合わせ縁が高さ方向に一直線状につながった状態となされていたので、建物の側壁にそれを上下にずらせるような力が作用した際、高さ方向に一直線状につながった状態の突き合わせ縁を境として、側壁板同士が上下にずれやすいという欠点があった。
【０００４】
【課題を解決するための手段】
本発明は前記欠点を解消するために以下の如き手段を採用した。
請求項１の発明は、その上階部分と下階部分との境界に胴差しを有する外壁骨格体と、
該外壁骨格体の下階部分に、水平方向に並設された下階側壁板と、前記外壁骨格体の上階部分に、水平方向に並設された上階側壁板と、その上部及び下部が前記胴差しの上端面及び下端面から突出する状態で、前記胴差しに、水平方向に並設された胴差し側壁板とを備え、隣り合う前記下階側壁板が突き合わされる該下階側壁板の縁部と、隣り合う前記胴差し側壁板が突き合わされる該胴差し側壁板の縁部と、隣り合う前記上階側壁板が突き合わされる該上階側壁板の縁部とが、上下方向に一直線上に並ばないように構成されている部分を有するものである。
【０００５】
【発明の作用】
請求項１の発明は以下の如き作用をなすものである。
上下２枚の側壁板が胴差しの高さ方向の中間で突き合わされた状態で胴差しに固定されたものでないので、即ち、胴差しに１枚の側壁板が固定されたものであるので、側壁板と胴差しとの一体化を従来に比較して強固に行なうことが出来、その結果、建物の側壁の強度を高めることが出来る。また、左右に並ぶ側壁板の突き合わせ縁が高さ方向に一直線状につながらずにずれているので、従来に比較して、建物の側壁にそれを上下にずらせるような力が作用した際、側壁板同士が上下にずれにくく、その結果、この点からも建物の側壁の強度を高めることが出来る。
【０００６】
【発明の実施の形態】
以下に、２つの発明の実施の形態を図面を参照しつつ説明する。
なお、これらの説明において同一の部材は同一の符号で示す。
【０００７】
［発明の第１の実施の形態］（図１及び図２参照）
なお、この説明において、左とは図１左側を、右とは同図右側をいう。
【０００８】
建物１の外壁骨格体２は、公知のごとく、土台４、多数の柱５、１階と２階との境に設けられた胴差し６、２階の天井部分に設けられた桁７、胴差し６と平行な多数の横木８及び窓固定枠９等を有している。
１階部分の外壁骨格体２には、側壁板１２が、長手方向を上下方向に向けるようにして左右方向に並べられて、土台４、柱５、胴差し６の下側の横木８や窓固定枠９に釘等によって固定されている。なお、側壁板１２の内、窓固定枠９の内側空間を閉塞する部分は切除される。この説明から明らかなごとく、各側壁板１２は、その縁部に対向するようにして設けられた土台４、柱５、胴差し６の下側の横木８や窓固定枠９に釘等で固定されるものである。
【０００９】
胴差し６に、その胴差し６から上下方向にはみ出すかたちで側壁板１３が短手方向を上下方向に向けるようにして、左右方向に並べられて、柱５、胴差し６、胴差し６の上下の横木８に釘等で固定されている。この説明から明らかなごとく、各側壁板１３は、その縁部に対向するようにして設けられた柱５、胴差し６の上下の横木８に釘等で固定されると共に、胴差し６に釘等で固定されるものである。
なお、側壁板１３の下縁は、側壁板１２の上縁に当接するようになされている。
【００１０】
前記側壁板１３の上方に位置するようにして、側壁板１２が、長手方向を上下方向に向けるようにして左右方向に並べられて、胴差し６の上側の横木８、柱５、桁７に釘等によって固定されている。この説明から明らかのごとく、各側壁板１２は、その縁部に対向するようにして設けられた胴差し６の上側の横木８、柱５、桁７に釘等によって固定されるものである。
なお、側壁板１２の下縁は、側壁板１３の上縁に当接するようになされている。
【００１１】
図１で示す外壁骨格体２以外も、図１と同様の状態で構成される。なお、玄関（図示略）には玄関枠が設けられ、この玄関枠に玄関ドアーが設けられ、勝手口（図示略）には勝手口枠が設けられ、この勝手口枠に勝手口ドアーが設けられることは云うまでもない。また、窓固定枠９に窓（図示略）が固定される。なお、窓固定枠９の位置・個数は任意である。
【００１２】
側壁板１３の左右長さは、側壁板１２の左右長さの２倍となされている。
この説明から明らかなごとく、側壁板１３の存在によって、側壁板１３の左右方向中央に位置する上下に渡る側壁板１２の突き合わせ縁は分断されている。換言すれば、側壁板１３の左右方向中間に位置する上下の側壁板１２の突き合わせ縁と、側壁板１３同士の上下に渡る突き合わせ縁とは、一直線状につながらずにずれている。
【００１３】
［発明の第２の実施の形態］（図３参照）
なお、この説明において、左とは図３左側を、右とは同図右側をいう。
【００１４】
側壁板１２は、上下・左右に並べられて第１の実施の形態と同様に外壁骨格体２に釘等で固定されている。
上側の側壁板１２は胴差し６にその胴差し６から上下方向にはみ出すかたちとなされている。
上側の側壁板１２の上方に位置するようにして、側壁板１３が、短手方向を上下方向に向けるようにして左右方向に並べられて、第１の実施の形態と同様に外壁骨格体２に釘等で固定されている。
なお、側壁板１３の下縁は、上側の側壁板１２の上縁に当接するようになされている。
【００１５】
前記側壁板１３の存在によって、側壁板１３の左右方向中央に位置する上下に渡る側壁板１２の突き合わせ縁は、外壁骨格体２の上下全体に渡らないようになされている。換言すれば、側壁板１３の左右方向中間に位置する上下の側壁板１２の突き合わせ縁と、側壁板１３の突き合わせ縁とは、一直線状につながらずにずれている。
【００１６】
【変形例等】
以下に変形例等について説明を加える。
（１）外壁骨格体２、側壁板１２、側壁板１３の材質は一般的には木質系のものであるが、それに限定されるものではない。
（２）側壁板１２、側壁板１３の大きさは任意である。
（３）建物１は、本発明の構成を少なくとも１つ有していればよい。
（４）胴差し６は、２階と３階との境のものであっても、それ以上の階の境のものであってもよい。
（５）側壁板１３、１２が胴差し６から上下にはみ出す長さは、任意である。
【００１７】
【発明の効果】
本発明は前記した如き構成によって以下の如き効果を奏する。
上下２枚の側壁板が胴差しの高さ方向の中間で突き合わされた状態で胴差しに固定されたものでないので、即ち、胴差しに１枚の側壁板が固定されたものであるので、側壁板と胴差しとの一体化を従来に比較して強固に行なうことが出来、その結果、建物の側壁の強度を高めることが出来る。また、左右に並ぶ側壁板の突き合わせ縁が高さ方向に一直線状につながらずにずれているので、従来に比較して、建物の側壁にそれを上下にずらせるような力が作用した際、側壁板同士が上下にずれにくく、その結果、この点からも建物の側壁の強度を高めることが出来る。
【図面の簡単な説明】
【図１】本発明の第１の実施の形態を示す一部破砕の施工途中の簡略側面図である。
【図２】図１のＩＩ−ＩＩ線に沿う要部断面図である。
【図３】本発明の第２の実施の形態を示す一部破砕の施工途中の簡略側面図である。
【符号の説明】
１  建物
２  外壁骨格体
６  胴差し
１２  側壁板
１３  側壁板
【図１】
0003943210.tif 000002
【図２】
0003943210.tif 000003
【図３】
0003943210.tif 000004